(57)【要約】【課題】薄型なスイッチ体を提供することを目的とする。【解決手段】スイッチ体１００は、配線基板１０と、スペーサ２０と、可動接点体３０と、保護シート５０とを有する。配線基板１０の上面には、中央固定接点部１１Ａと外側固定接点部１２Ａが配されている。中央固定接点部１１Ａと外側固定接点部１２Ａは、スペーサ２０の孔部２０Ａ内に対応する配線基板１０の上面位置に配されている。可動接点体３０は、上方に突出した弾性金属薄板の部材であり、外周下端が外側固定接点部１２Ａに当接するように、配線基板１０の上面に搭載されている。可動接点体３０は、中央部の下面が中央固定接点部１１Ａに所定の隙間を有して対向している。【選択図】図１
2017130292.tif 000002
【特許請求の範囲】
【請求項１】
第１、第２固定接点部が形成された配線基板と、
前記第１、第２固定接点部に対応する位置に孔部が形成され、前記配線基板に積層するように固着されたスペーサと、
前記スペーサの前記孔部に収容されて、前記第１、第２固定接点部を電気的に接続させる可動接点体と、
前記孔部を上方から覆うように前記スペーサの上方に配されて、前記スペーサの上面に保持された保護シートと、
前記孔部に対応する前記保護シートの下面位置に配された押圧体と、
を備えたスイッチ体。
【請求項２】
前記可動接点体に重なって配された可動部材をさらに備えた、
請求項１記載のスイッチ体。
【請求項３】
第１、第２、第３、第４固定接点部が形成された配線基板と、
第１、第２固定接点部が露呈する第１孔部と、第３、第４固定接点部が露呈する第２孔部と、が形成された前記配線基板に積層するスペーサと、
前記第１孔部に収容されて、前記第１、第２固定接点部を電気的に接続させる第１可動接点体と、
前記第２孔部に収容されて、前記第３、第４固定接点部を電気的に接続させる第２可動接点体と、
前記第１、第２孔部を覆うように前記スペーサの上方に配され、前記スペーサの上面に保持された保護シートと、
前記第１孔部に対応する前記保護シートの下面位置に配された第１押圧体と、
前記第２孔部に対応する前記保護シートの下面位置に配された第２押圧体と、
を備えたスイッチ体。
【請求項４】
前記第１可動接点体に重なって配された第１可動部材と、
前記第２可動接点体に重なって配された第２可動部材と、をさらに備えた、
請求項３記載のスイッチ体。
【発明の詳細な説明】
【技術分野】
【０００１】
本発明は、各種電子機器の操作部に用いられるスイッチ体に関するものである。
【背景技術】
【０００２】
近年、各種電子機器は、各種操作を行うために、配線基板にスイッチが実装されたスイッチ体が広く用いられている。
【０００３】
従来のスイッチ体は、例えば特許文献１に示されているようなスイッチを配線基板にはんだ付け実装されたもので構成されている。なお、従来のスイッチ体におけるスイッチは、絶縁性の樹脂部材に金属部材をインサート成形したスイッチケースとスイッチケースの凹部に搭載された可動接点体とを有する。そして、スイッチケースの凹部の内底面に配された１対の固定接点部と、可動接点体とでスイッチ接点部を構成している。
【先行技術文献】
【特許文献】
【０００４】
【特許文献１】特開２０１３−５８３８０号公報
【発明の概要】
【発明が解決しようとする課題】
【０００５】
しかしながら、上記従来のスイッチ体においては、スイッチを配線基板に実装して構成されたものであり、さらなる薄型化の要望があった。
【０００６】
本発明は、このような従来の課題を解決するものであり、薄型なスイッチ体を提供することを目的とする。
【課題を解決するための手段】
【０００７】
上記目的を達成するために本発明は、第１、第２固定接点部が形成された配線基板と、前記第１、第２固定接点部に対応する位置に孔部が形成され、前記配線基板に積層するように固着されたスペーサと、前記スペーサの前記孔部に収容されて、前記第１、第２固定接点部を電気的に接続させる可動接点体と、前記孔部を上方から覆うように前記スペーサの上方に配されて、前記スペーサの上面に保持された保護シートと、前記孔部に対応する前記保護シートの下面位置に配された押圧体と、を備えたスイッチ体としたものである。
【０００８】
これであれば、スイッチを実装することなくスイッチ体を構成できるため、スイッチ体の高さ寸法を低減できるという作用を有する。
【発明の効果】
【０００９】
本発明によれば、スイッチ体を簡素に構成して、薄型化できるという有利な効果が得られる。
【図面の簡単な説明】
【００１０】
【図１】本発明の実施の形態によるスイッチ体１００の断面図
【図２】同分解斜視図
【図３】同斜視図
【発明を実施するための形態】
【００１１】
以下、本発明の実施の形態について、図１〜図３を用いて説明する。
【００１２】
（実施の形態）
図１は本発明の実施の形態によるスイッチ体１００の断面図、図２は同分解斜視図、図３は同斜視図である。
【００１３】
同図に示すように、スイッチ体１００は、配線基板１０と、スペーサ２０と、可動接点体３０と、押圧体４０と、保護シート５０とを有する。配線基板１０の上面には、中央固定接点部１１Ａと外側固定接点部１２Ａが配されている。中央固定接点部１１Ａと外側固定接点部１２Ａは、スペーサ２０の孔部２０Ａ内に対応する配線基板１０の上面位置に配されている。可動接点体３０は、上方に突出した弾性金属薄板の部材であり、外周下端が外側固定接点部１２Ａに当接するように、配線基板１０の上面に搭載されている。可動接点体３０は、中央部の下面が中央固定接点部１１Ａに所定の隙間を有して対向している。保護シート５０は、スペーサ２０の孔部２０Ａを覆うように配されていて、スペーサ２０の上面に保持されている。押圧体４０は、孔部２０Ａに対応する保護シート５０の下面位置に配されている。
【００１４】
このように、スイッチ体１００は、配線基板１０の上面に可動接点体３０が搭載されているため、スイッチ体の構成が簡素なものとなり、薄型にできる。
【００１５】
以下にスイッチ体１００の詳しい構成および動作について説明する。
【００１６】
図１〜３に示すように、スイッチ体１００は、配線基板１０と、スペーサ２０と、可動接点体３０と、可動部材３１、３２と、押圧体４０と、保護シート５０とを有する。配線基板１０は、中央固定接点部１１Ａ〜１１Ｃと外側固定接点部１２Ａ〜１２Ｃとを有する。スペーサ２０は、孔部２０Ａ〜２０Ｃを有する。
【００１７】
配線基板１０は、所定の導電パターンが形成された絶縁材料性の配線基板であり、可撓性を有したポリイミド製のフレキシブル基板（ＦＰＣ）などで構成されている。配線基板１０は、所定の幅で形成された短冊状の本体部１０Ａと、本体部１０Ａから所定の幅で外方に延設された引き出し部１０Ｂとを含む。そして、配線基板１０の上面には、上面視円形の中央固定接点部１１Ａ〜１１Ｃと、中央固定接点部１１Ａ〜１１Ｃを取り囲むように配された上面視環状の外側固定接点部１２Ａ〜１２Ｃがそれぞれ形成されている。なお、中央固定接点部１１Ａ〜１１Ｃと外側固定接点部１２Ａ〜１２Ｃは互いに電気的に独立していて、配線基板１０に配された図示しない引き出し配線を介して、引き出し部１０Ｂの先端部に形成された図示しない接続端子に電気的に接続されている。そして、スイッチ体１００は、当該接続端子が図示しない電子機器のコネクタ部に接続されることで、電子機器の入力操作部として使用される。
【００１８】
スペーサ２０は、所定の厚さを有した樹脂製で、配線基板１０の本体部１０Ａと同等の上面視形状に形成された短冊状の部材であり、中央固定接点部１１Ａ〜１１Ｃと外側固定接点部１２Ａ〜１２Ｃに対応する位置に孔部２０Ａ〜２０Ｃがそれぞれ形成されている。孔部２０Ａ〜２０Ｃの上面視形状は、後述する可動接点体３０よりも僅かに大きいものになっている。そして、本実施の形態においては、孔部２０Ａ〜２０Ｃは、上面視で小判形（オーバル形状）に形成されている。スペーサ２０は、スペーサ２０の下面に形成された熱硬化性の接着剤や紫外線硬化性（ＵＶ硬化性）の接着剤などによって配線基板１０の上面に固着している。このように、スイッチ体１００は、スペーサ２０の孔部２０Ａ〜２０Ｃの内側に、中央固定接点部１１Ａ〜１１Ｃと外側固定接点部１２Ａ〜１２Ｃがそれぞれ配されている。
【００１９】
なお、本実施の形態では、３つの孔部２０Ａ〜２０Ｃが形成されたスペーサ２０が配線基板１０に積層されたものとしたが、例えば、１つの孔部２０Ａのみが形成されたスペーサを３つ用意して、当該スペーサをそれぞれ配線基板１０の上面に連設するように積層して配置してもよい。
【００２０】
可動接点体３０は、上方凸形のドーム状に形成された弾性薄板金属製であり、上面視円形の形状のものから、その両端部を平行な直線で切り欠いた、所謂小判形状に形成されている。そして、可動接点体３０は、スペーサ２０の孔部２０Ａ〜３０Ｃ内にそれぞれ収容されて、配線基板１０の上面にそれぞれ搭載されている。これにより、可動接点体３０は、外周下端が配線基板１０の外側固定接点部１２Ａ〜１２Ｃの上面にそれぞれ当接している。また、可動接点体３０の中央部下面は、中央固定接点部１１Ａ〜１１Ｃの上面と所定の間隔を有してそれぞれ対向している。可動接点体３０は可動接点として機能する部材であり、例えばスペーサ２０の孔部２０Ａに収容された可動接点体３０を上方より押圧操作すると、クリック感触と伴いながら下方向きに反転する。そして、可動接点体３０の中央部下面と中央固定接点部１１Ａが接触する。これにより、中央固定接点部１１Ａと外側固定接点部１２Ａは可動接点体３０を介して電気的に導通する。なお、孔部２０Ｂ〜２０Ｃに収容された可動接点体３０を押圧操作した場合も同様なので説明は省略する。このように、スイッチ体１００は、少なくとも、可動接点体３０、中央固定接点部１１Ａ〜１１Ｃ、外側固定接点部１２Ａ〜１２Ｃでそれぞれ構成されたスイッチ接点部１００Ａ〜１００Ｃを有している。
【００２１】
可動部材３１、３２は、上方凸形に形成された弾性薄板金属製であり、可動接点体３０と同様の形状に形成されている。なお、可動部材３１、３２は可動接点体３０と同じものでもよい。可動部材３１は、可動接点体３０の上方に重なって配されている。可動部材３２は、可動部材３１の上方に重なって配されている。可動部材３１、３２は、クリック感触を発生させる部材であり、上方から押圧操作すると、クリック感触と伴いながら下方向きに反転する。なお、可動部材３１、３２は、必ずしも可動接点体３０と同じ材料で形成されている必要はなく、例えば絶縁樹脂などの絶縁体で構成してもよい。また、孔部２０Ａ〜２０Ｃにそれぞれ収容される可動部材３１、３２の枚数には、特に限定は無く、例えば可動部材３１のみでもよい。さらには、可動部材３１、３２は無くてもよい。
【００２２】
保護シート５０は、絶縁フィルム製であり、孔部２０Ａ〜２０Ｃを覆うようにスペーサ２０の上方に配されている。そして、保護シート５０の外周部が、スペーサ２０の上面に固着されている。つまり、保護シート５０によってスペーサ２０の孔部２０Ａ〜２０Ｃを塞いで、密閉状態にしている。なお、保護シート５０は、スペーサ２０の孔部２０Ａ〜２０Ｃの外縁部付近をそれぞれ全周に亘って囲むように固着してもよい。なお、本実施の形態では、保護シート５０は、スペーサ２０の上面にレーザ照射や超音波による加工によって溶着固定されている。なお、溶着固定する場合は、保護シート５０とスペーサ２０を同一の材料で構成するとよい。なお、保護シート５０は、熱硬化性の接着剤や、紫外線硬化性（ＵＶ硬化性）の接着剤、もしくは粘着材などによって、スペーサ２０の上面に保持されてもよい。
【００２３】
また、本実施の形態では、１枚の保護シート５０で孔部２０Ａ〜２０Ｃを覆っているが、保護シート５０よりも小さい３枚の保護シートを用いて孔部２０Ａ〜２０Ｃをそれぞれ覆ってもよい。
【００２４】
押圧体４０は、円柱状に形成された絶縁樹脂製の部材であり、本実施の形態では３つの押圧体４０が保護シート５０の下面にそれぞれ固着されている。そして、押圧体４０は可動部材３２の中央の上面位置にそれぞれ載せられている。なお、保護シート５０と押圧体４０もレーザ照射や超音波による加工によって溶着固定されている。なお、溶着固定する場合は、保護シート５０と押圧体４０を同一の材料で構成するとよい。また、押圧体４０は、熱硬化性の接着剤や、紫外線硬化性（ＵＶ硬化性）の接着剤などによって、保護シート５０に固着してもよい。さらには、保護シート５０の下面側から押圧体４０を熱圧入させて、互いを固着させてもよい。
【００２５】
スイッチ体１００は以上のように構成されている。そして、スイッチ体１００は３つのスイッチ接点部１００Ａ〜１００Ｃが連設されたものに構成されている。なお、本願発明の技術的思想のものは、スイッチ接点部１００Ａのみを有したスイッチ体としてもよい。
【００２６】
次に、スイッチ体１００の動作について、スイッチ接点部１００Ａの動作を例に、簡単に説明する。なお、スイッチ接点部１００Ｂ、１００Ｃにおける動作も同様である。保護シート５０を介して押圧体４０を下方に押圧操作すると、押圧力が押圧体４０を介して可動部材３１、３２と可動接点体３０の中央部に伝わり、それらがすべて反転動作する。それによって、可動接点体３０の中央部下面と中央固定接点部１１Ａが接触する。これにより、中央固定接点部１１Ａと外側固定接点部１２Ａは可動接点体３０を介して電気的に導通して、スイッチ接点部１００Ａがオン状態になる。そして、その操作を解除すると、可動部材３１、３２と可動接点体３０は自身の復元力で元の上方凸形のドーム状に復元してオフ状態に戻る。
【００２７】
以上のように、当該構成のスイッチ体１００は、スイッチを配線基板に実装して構成する必要がなく、簡素な構成に実現できるため、スイッチ体の高さ寸法を低減できる。
【産業上の利用可能性】
【００２８】
本発明によるスイッチ体は、簡素な構成となるため、薄型化に優れ、本発明による電子部品を実装する電子機器に有用である。
【符号の説明】
【００２９】
１０  配線基板
１０Ａ  本体部
１０Ｂ  引き出し部
１１Ａ〜Ｃ  中央固定接点部
１２Ａ〜Ｃ  外側固定接点部
２０  スペーサ
２０Ａ〜Ｃ  孔部
３０  可動接点体
３１、３２  可動部材
４０  押圧体
５０  保護シート
１００  スイッチ体
１００Ａ〜Ｃ  スイッチ接点部
【図１】
2017130292.tif 000003
【図２】
2017130292.tif 000004
【図３】
2017130292.tif 000005